(57)【要約】【構成】印判を使用し被捺印物に捺印する際に用いる被捺印物保持具において、大きさの異なる３種類以上の被捺印物保持用の凹みを有することを特徴とする被捺印物保持具である。さらに、ガイド片の先端辺がボール等球体状の被捺印物外周面保持の妨害とならないように、被捺印物保持用の凹みの最上端部よりも上方に位置するようにした。【効果】鉛筆、コップ、柱、ボール等円柱形状や角柱形状または球体形状等の被捺印物を、対応する大きさの異なる３種類以上の被捺印物保持用の凹みの中から選択して該被捺印物を保持することができるため、希望する捺印位置に１つの被捺印物保持具で正確に捺印することができる。特に本発明の被捺印物保持具は前記構成を有しているため、ボール等球体状の被捺印物が該被捺印物保持具の内側に入り込むことが可能となり、該被捺印物の希望する捺印位置に正確に捺印することができる。【選択図】      図１
2004255624.tif 000002
【特許請求の範囲】
【請求項１】
印判を使用し被捺印物に捺印する際に用いる被捺印物保持具において、印判を差し入れるガイド孔と、該ガイド孔の周縁部に印判を差し入れ保持するためのガイド片とを有すると共に、被捺印物保持具に大きさの異なる３種類以上の被捺印物保持用の凹みを設けたことを特徴とする被捺印物保持具。
【請求項２】
前記ガイド片の先端辺が、前記被捺印物保持用の凹みの最上端部よりも上方に位置するようにした請求項１に記載の被捺印物保持具。
【発明の詳細な説明】
【０００１】
【産業上の利用分野】
本発明は、ガイド孔より印判を差し入れ、鉛筆、コップ、柱、ボール等被捺印物に捺印して使用する被捺印物保持具に関するものである。
【０００２】
【従来の技術】
従来、被捺印面の指定されたところに正確に位置合わせをして捺印をすることは大変難しく、熟練性が要求されるものであった。しかし、ガイド板を希望する位置に合わせたのち印判をガイド板に沿って捺印することにより、希望する捺印位置に正確に捺印することができる案内具が知られている（例えば、特許文献１、特許文献２参照。）。また、補助具の底辺の枠をガイドラインとし、正確な位置決めを行ってから印判を補助具内でスライドさせて捺印すれば、希望する捺印位置に正確に捺印することができる補助具が知られている（例えば、特許文献３。）。しかし、円柱形状や角柱形状または球体形状等の多種類で大きさの異なる外周面を有した硬くて滑りやすい不安定な被捺印物に捺印する際は非常に不安定で希望する捺印位置に正確に捺印することができなかった。
【０００３】
そこで、刻印の分野においては、円筒状や硬くて滑りやすい被打刻物の希望する捺印位置へ正確に刻印するための刻印の保持治具が知られている。この保持治具は、中央部のガイド孔に刻印をセットし、管などのような丸い外周面を有する被打刻物を保持治具で固定して刻印することができる（例えば、特許文献４。）。しかし、この保持治具は、被打刻材の外周面に合わせて切削加工部を設けることはできるが、該切削加工部と対称な面に突起部を有していることもあり、多種類の外周面に対して１つの保持具で対応することは困難であった。さらに、該保持治具は、刻印用の保持治具であって、印判を用いて、鉛筆、コップ、柱、ボール等への捺印に使用するものではなかった。
【０００４】
【特許文献１】
実開昭５０−１３９０１３号公報（第１頁、第１図）
【特許文献２】
実開昭５７−５７９５７号公報（第１頁、第１図−第２図）
【特許文献３】
実開昭５３−１１１８１２号公報（第１頁、第４図）
【特許文献４】
実開昭６０−９６０５６号公報（第１頁−第２頁、第１図、第４図）
【０００５】
【発明が解決しようとする課題】
本発明の目的は、鉛筆、コップ、柱、ボール等円柱形状や角柱形状または球体形状等の被捺印物を保持して安定させ、希望する捺印位置に正確に捺印することができる被捺印物保持具であって、該被捺印物の外周面の大きさや形状に対応する被捺印物保持用の凹みを、大きさの異なる３種類の中から選択して該被捺印物を保持し、該保持具１つで対応することができる被捺印物保持具を提供することにある。また、印判を差し入れるガイド孔の周縁部を構成するガイド片の形状を、印判の捺印部外周縁部の形状と同一形状とすることにより、印判はガイド孔に差し入れる方向が規制され、被捺印物に捺印する際に、曲ったりずれたりすることなく、正確に捺印できる被捺印物保持具を提供することにある。さらに、ガイド片の先端辺を被捺印物保持用の凹みの最上端部よりも上方に位置させ、被捺印物が被捺印物保持具の内側に入り込むことが可能な構成とすることによって、ガイド片の先端辺がボール等球体状の被捺印物外周面保持の妨害とならないようにした被捺印物保持具を提供することにある。
【０００６】
【課題を解決するための手段】
そこで本発明は、前述の目的を達成するために、印判を使用し被捺印物に捺印する際に用いる被捺印物保持具において、印判を差し入れるガイド孔と、該ガイド孔の周縁部に印判を差し入れ保持するためのガイド片とを有すると共に、被捺印物保持具に大きさの異なる３種類以上の被捺印物保持用の凹みを設けたものである。
【０００７】
また、第２の課題解決手段は、前記ガイド片の先端辺が、前記被捺印物保持用の凹みの最上端部よりも上方に位置するようにしたものである。
【０００８】
前記第１の課題解決手段による作用は次の通りである。すなわち、鉛筆、コップ、柱、ボール等円柱形状や角柱形状または球体形状等の被捺印物を、対応する大きさの異なる３種類の被捺印物保持用の凹みの中から選択して該被捺印物を保持することができるため、希望する捺印位置に１つの被捺印物保持具で正確に捺印することができる。また、印判を差し入れるガイド孔の周縁部を構成するガイド片の形状を、印判の捺印部外周縁部の形状と同一形状とすることにより、印判はガイド孔に差し入れる方向が規制され、被捺印物に捺印する際に、曲ったりずれたりすることなく、正確に捺印できる。
【０００９】
また、第２の課題解決手段による作用は、前記ガイド片の先端辺が、ボール等球体状の被捺印物外周面保持の妨害とならないように被捺印物保持用の凹みの最上端部よりも上方に位置するため、球体形状を有する被捺印物の頂点部が被捺印物保持具の内側に入り込むことができ、被捺印物保持用の凹みによって被捺印物の側面を保持することができる。
【００１０】
【発明の実施の形態】
以下、第１図乃至第９図に基づき本発明の実施の形態を詳細に説明する。第１図は本発明の被捺印物保持具２を示す斜視図であり、第２図は第１図のＩ−Ｉ断面図、第３図は第１図のＩＩ−ＩＩ断面図を示す。第４図は第１の実施例を示し、鉛筆等の比較的細い円柱形状や角柱形状に捺印する状態を示した断面図、第５図は第２の実施例を示し、鉛筆等の幅よりも大きいコップ等の円柱形状や角柱形状に捺印する状態を示した断面図、第６図は第３の実施例を示し、コップ等の幅よりも大きい柱等の円柱形状や角柱形状に捺印する状態を示した縮小断面図である。第７図、第８図、第９図は第４の実施例を示し、第７図はボール等球体形状の被捺印物を保持した状態を示した斜視図であり、第８図は該被捺印物へ捺印する状態を示した中央横断面図、第９図は、該中央縦断面図である。
【００１１】
第１図乃至第３図に示すように、被捺印物保持具２は略直方体形状で上面中央近傍に印判１を差し入れる略長方形のガイド孔４を有し、該ガイド孔４の周縁部は、第２図の上方を上、下方を下とすると、該被捺印物保持具２の上面から相対する内面に向かって張り出すように該ガイド孔４の周縁部全周に設けられたガイド片６、６’で構成されており、該ガイド片６、６’は全周にわたって逆Ｕ字型に形成されている。印判１を差し入れるガイド孔４の周縁部を構成するガイド片６、６’の形状は、印判１の捺印部外周縁部の形状と同一形状とする。ここでガイド片６、６’の先端辺６ａ、６ａ’は、被捺印物保持用の凹み５ｃ、５ｃ’の最上端部よりも上方に位置するように構成する。
【００１２】
被捺印物保持具２の側面には、大きさの異なる３種類のＵ字形状またはＶ字形状を有する被捺印物保持用の凹み５ａ、５ｂ、５ｃと、それぞれ向かい合う側面に対称に５ａ’、５ｂ’、５ｃ’の凹みとを有する。被捺印物保持用の凹み５ａ、５ａ’は、Ｕ字形状に形成されており、凹み５ｂ、５ｂ’及び凹み５ｃ、５ｃ’はＶ字形状に形成されている。これら３種類の被捺印物保持用の凹み５は、鉛筆、コップ、柱、ボール等円柱形状や角柱形状または球体形状等の被捺印物３に応じて選択できる。従って第５図、第６図で示すように、本実施例では、被捺印物保持具２が略直方体形状を有していることもあり、長辺部に設けたＶ字形状の凹み５ｃ、５ｃ’の角度θ２を、短辺部に設けたＶ字形状凹み５ｂ、５ｂ’の角度θ１よりも大きく設定してある。こうすることにより、被捺印物３に対して該凹みの接する部分が大きくなり、大きさの異なる外周面を有する被捺印物３の保持に有利となる。
【００１３】
ここで印判１は、ゴム印やインキを吸蔵できる様にスポンジゴム等の無数の連続気孔を有した多孔性印材より形成された浸透印等の捺印具である。
【００１４】
被捺印物保持具２は、略直方体形状が好ましいが特にこれに限定されるものではなく、略立方体形状等でもよい。また、目視によって被捺印物３の捺印点を確認し正確に捺印することを可能にするために、透明材料で構成してもよく、側面に目盛りを備えてもよい。
【００１５】
印判１を差し入れるガイド孔４の周縁部を構成するガイド片６、６’の形状は、印判１の捺印部外周縁部の形状に合わせて、正方形、長方形、円形、楕円形等とすることが好ましいが、これに限定されるものではなく、印判１の捺印部外周縁部の形状と同一形状を有することによって、ガイド孔４に印判１を差し入れる方向が規制される形状であれば、任意の形状でよい。
【００１６】
さらに、印判１が正しくガイド孔４に挿入されるように、印判１の捺印部外周縁部とガイド孔４の周縁部を構成するガイド片６、６’の両者間に、方向性嵌合手段を付加的に設けてもよい。ここで、方向性嵌合手段とは、印判１の捺印部外周縁部の外壁面とガイド片６、６’の中心側の壁面に対し、例えば凹凸部、割溝、板状突起等をそれぞれ同方向へ対応する位置に設けることにより、被捺印物３に捺印する際に曲ったりずれたりすることなく、印判１をガイド孔４に差し入れる方向を規制することができる手段である。
【００１７】
被捺印物保持用の凹み５の形状は、Ｕ字形状やＶ字形状が好ましいがこれに限定されるものではなく、例えば半円形状や四角形等任意の形状でよい。また、角度θ１、角度θ２は、角度θ２＞角度θ１であることが好ましいが、なんら限定されるものではなく角度θ２＜角度θ１でもよい。さらに、被捺印物保持用の凹み５の数は、大きさの異なる３種類の組合せが好ましいが特にこれに限定されるものではなく、４種類や５種類の組合せでもよい。例えば４種類とするときには、被捺印物保持具２の最上端長辺部の相対向する辺に、もう１つ被捺印物保持用の凹みの組合せを設ければよいことも本発明の意図するところである。
【００１８】
第４図乃至第９図に示す被捺印物３ａ、３ｂ、３ｃ、３ｄは、鉛筆、コップ、柱、ボール等の円柱形状や角柱形状または球体形状等に特に限定されるものではなく、それぞれ被捺印物保持用の凹み５ａ、５ａ’、５ｂ、５ｂ’、５ｃ、５ｃ’で保持できる形状であれば任意の形状でよい。
【００１９】
次に、上記構成の作用について記載する。上記構成を有する実施形態の被捺印物保持具２によれば、３種類の被捺印物保持用の凹み５を有しているため、鉛筆、コップ、柱、ボール等円柱形状や角柱形状または球体形状等の被捺印物３に応じて、該被捺印物保持用の凹み５を選択できる。従って、対応する大きさの異なる３種類の被捺印物保持用の凹み５の中から選択して前記被捺印物３を保持することができるため、希望する捺印位置に１つの被捺印物保持具で正確に捺印することができる。
【００２０】
また、印判１を差し入れるガイド孔４の周縁部を構成するガイド片６、６’の形状を、印判１の捺印部外周縁部の形状と同一形状とすることにより、印判１はガイド孔４に差し入れる方向が規制され、被捺印物３に捺印する際に、曲ったりずれたりすることなく、正確に捺印できる。さらに、印判１の捺印部外周縁部とガイド孔４の周縁部を構成するガイド片６、６’の両者間に、方向性嵌合手段を付加的に設けることによって、被捺印物３に捺印する際に曲ったりずれたりすることなく、印判１をガイド孔４に差し入れる方向を規制することもできる。
【００２１】
さらに、ガイド片６、６’の先端辺６ａ、６ａ’が、ボール等球体状の被捺印物外周面保持の妨害とならないように、被捺印物保持用の凹み５の最上端部よりも上方に位置するため、球体形状を有する被捺印物３の頂点部が被捺印物保持具２の内側に入り込むことができ、該被捺印物保持用の凹み５によって該被捺印物３の側面を保持することができる。
【００２２】
被捺印物保持具２の底面は水平面を有しているため、被捺印物３が板状であったり紙等であっても、その平面部の希望する位置に正確に捺印することは勿論できる。
【００２３】
本発明の第１の実施例を第１図乃至第４図で詳細に説明する。
第１図乃至第４図に示すように、鉛筆等の細い円柱形状や角柱形状の被捺印物３ａに捺印する第１の実施例は、被捺印物保持用の凹み５ａ、５ａ’を選択して被捺印物３ａを保持固定し、ガイド孔４に印判１を挿入して被捺印物３ａの捺印点に捺印することができる。
【００２４】
本発明の第２の実施例を第５図で詳細に説明する。
第５図に示すように、幅Ａ２が鉛筆等の幅Ａ１よりも大きいコップ等の円柱形状や角柱形状被捺印物３ｂに捺印する第２の実施例は、被捺印物保持用の凹み５ｂ、５ｂ’を選択して被捺印物３ｂを保持し、ガイド孔４に印判１を挿入して被捺印物３ｂの捺印点に捺印することができる。
【００２５】
本発明の第３の実施例を第６図で詳細に説明する。
第６図に示すように、幅Ａ３がコップ等の幅Ａ２よりも大きい柱等の円柱形状や角柱形状被捺印物３ｃに捺印する第３の実施例は、被捺印物保持用の凹み５ｃ、５ｃ’を選択して被捺印物３ｃを保持し、ガイド孔４に印判１を挿入して被捺印物３ｃの捺印点に捺印することができる。
【００２６】
本発明の第４の実施例を第７図乃至第９図で詳細に説明する。
第７図乃至第９図に示すように、ボール等球体形状の被捺印物３ｄに捺印する第４の実施例は、ガイド片６、６’の先端辺６ａ、６ａ’が、ボール等球体状の被捺印物外周面保持の妨害とならないよう被捺印物保持用の凹み５ｃ、５ｃ’の最上端部よりも上方に位置するように構成されているため、球体形状を有する被捺印物３ｄの頂点部が被捺印物保持具２の内側に入り込むことができ、被捺印物保持用の凹み５ｃ、５ｃ’を選択することによって被捺印物３ｄの側面を保持し、捺印点に捺印することができる。
【００２７】
次に、本発明第１の実施例乃至第４の実施例の実施方法を詳細に説明する。
第１の実施例の実施方法は、鉛筆等の比較的細い円柱形状や角柱形状の被捺印物３ａに捺印する際、被捺印物３ａを被捺印物保持用の凹み５ａ、５ａ’で保持固定し、ガイド孔４に印判１を挿入して被捺印物３ａの捺印点に捺印する。
【００２８】
第２の実施例の実施方法は、鉛筆等の幅より大きいコップ等被捺印物３ｂに捺印する際、被捺印物保持具２を１８０度反転させて、被捺印物３ｂを被捺印物保持用の凹み５ｂ、５ｂ’で保持し、ガイド孔４に印判１を挿入して被捺印物３ｂの捺印点に捺印する。
【００２９】
第３の実施例及び第４の実施例の実施方法は、コップ等の幅より大きい柱等やボール等球体形状の被捺印物３ｃ及び３ｄに捺印する際、被捺印物保持具２を９０度回転させて、被捺印物３ｃ及び３ｄを被捺印物保持用の凹み５ｃ、５ｃ’で保持し、ガイド孔４に印判１を挿入して被捺印物３ｃ及び３ｄの捺印点に捺印する。
【００３０】
従って、本発明の被捺印物保持具２は、大きさの異なる３種類の被捺印物保持用の凹み５を有するため、被捺印物３の外周面の大きさや形状に対応させて被捺印物保持具２を反転させたり回転させ、被捺印物保持用の凹み５を大きさの異なる３種類の中から選択することによって、極めて簡単に被捺印物３を保持でき、希望する捺印位置に正確に捺印することができる。
【００３１】
【発明の効果】
以上説明したように、本発明では、鉛筆、コップ、柱、ボール等円柱形状や角柱形状または球体形状等の被捺印物を、対応する大きさの異なる３種類以上の被捺印物保持用の凹みの中から、被捺印物保持具を反転させたり回転させることによって選択し、該被捺印物を保持することができるため、希望する捺印位置に１つの被捺印物保持具で正確に捺印することができる。特に本発明の被捺印物保持具は、ガイド片の先端辺がボール等球体状の被捺印物外周面保持の妨害とならないように、被捺印物保持用の凹みの最上端部よりも上方に位置するように構成しているため、被捺印物が該被捺印物保持具の内側に入り込むことが可能となり、希望する捺印位置に正確に捺印することができる。
また、印判はガイド孔の周縁部を構成するガイド片によってガイド孔に差し入れる方向が規制されるため、被捺印物に捺印する際に、曲ったりずれたりすることなく、正確に捺印できるだけでなく、捺印作業を能率よく行うことができる。
【図面の簡単な説明】
【図１】本発明被捺印物保持具を示す斜視図
【図２】図１のＩ−Ｉ断面図
【図３】図１のＩＩ−ＩＩ断面図
【図４】第１の実施例を示した断面図
【図５】第２の実施例を示した断面図
【図６】第３の実施例を示した縮小断面図
【図７】第４の実施例において被捺印物を保持した状態を示した斜視図
【図８】第４の実施例において被捺印物へ捺印する状態を示した中央横断面図
【図９】第４の実施例において被捺印物へ捺印する状態を示した中央縦断面図
【符号の説明】
１    印判
２    被捺印物保持具
３    被捺印物
４    ガイド孔
５    被捺印物保持用の凹み
６    ガイド片
【図１】
2004255624.tif 000003
【図２】
2004255624.tif 000004
【図３】
2004255624.tif 000005
【図４】
2004255624.tif 000006
【図５】
2004255624.tif 000007
【図６】
2004255624.tif 000008
【図７】
2004255624.tif 000009
【図８】
2004255624.tif 000010
【図９】
2004255624.tif 000011